(57)【要約】【課題】意匠性が良好で、折り畳みの自由度が高い多連式額縁を提供することを目的とする。【解決手段】本考案の一実施形態に係る多連式額縁１は、複数の額縁１１〜１３が連結された多連式額縁である。複数の額縁１１〜１３は、少なくとも第１の額縁１１および第２の額縁１２を含んでいる。第１の額縁１１は、第２の額縁１２と連結する端面である第１の連結面１１ｆを有し、第１の連結面１１ｆに第１の強磁性体１１１を備え、第２の額縁１２は、第１の額縁１１と連結する端面である第２の連結面１２ｅを有し、第２の連結面１２ｅに第２の強磁性体１２１を備えている。第１の額縁１１および第２の額縁１２は、第１の強磁性体１１１と第２の強磁性体１２１との間の吸引力によって第１の連結面１１ｆおよび第２の連結面１２ｅで互いに連結されている。【選択図】図１
0003229736.tif 000002
【実用新案登録請求の範囲】
【請求項１】
複数の額縁が連結された多連式額縁であって、
前記複数の額縁は、少なくとも第１の額縁および第２の額縁を含み、
前記第１の額縁は、前記第２の額縁と連結する端面である第１の連結面を有し、前記第１の連結面に第１の強磁性体を備え、
前記第２の額縁は、前記第１の額縁と連結する端面である第２の連結面を有し、前記第２の連結面に第２の強磁性体を備え、
前記第１の額縁および前記第２の額縁は、前記第１の強磁性体と前記第２の強磁性体との間の吸引力によって前記第１の連結面および前記第２の連結面で互いに連結されている、多連式額縁。
【請求項２】
前記第１の強磁性体は、前記第１の連結面に埋設され、前記第２の強磁性体は、前記第２の連結面に埋設されている、請求項１記載の多連式額縁。
【請求項３】
前記第１の額縁および前記第２の額縁はそれぞれ、正面と、背面と、上面と、底面と、一対の側面とを備え、
前記第１の連結面および前記第２の連結面の少なくとも一方は、前記一対の側面の少なくとも一方において、前記背面が外側に突出するように前記底面から垂直な方向に延びる、１つの平面によって構成される、請求項１または２記載の多連式額縁。
【請求項４】
前記第１の額縁および前記第２の額縁はそれぞれ、正面と、背面と、上面と、底面と、一対の側面とを備え、
前記第１の連結面および前記第２の連結面の少なくとも一方は、前記底面から垂直な方向に延びる複数の平面によって構成される、請求項１または２記載の多連式額縁。
【請求項５】
前記第１の額縁および前記第２の額縁はそれぞれ、正面と、背面と、上面と、底面と、一対の側面とを備え、
前記第１の連結面および前記第２の連結面の少なくとも一方は、前記底面から垂直な方向に延びる半円柱状の曲面によって構成される、請求項１または２記載の多連式額縁。
【考案の詳細な説明】
【技術分野】
【０００１】
本考案は、写真、絵画、掛軸などを保持する額縁が複数連結された多連式額縁に関する。
【背景技術】
【０００２】
写真を複数陳列するために、複数の額縁を連結した多連式写真立てが商品化されている。特許文献１は、複数の額縁を丁番によって連結した多連式写真立てを開示している。特許文献１の多連式写真立てによれば、丁番によって連結されることで、複数の額縁を折り畳んだ状態にすることができる。これにより、多連式写真立てを収容しやすくなるとともに、持ち運びもしやすくなる。
【先行技術文献】
【特許文献】
【０００３】
【特許文献１】登録実用新案第３０１１４５２号公報
【考案の概要】
【考案が解決しようとする課題】
【０００４】
特許文献１の多連式写真立ては、複数の額縁を丁番によって連結しているので、多連式写真立てのなかで、美観を損ねる印象を与えやすい丁番が目立ってしまう。そのため、多連式写真立ての全体としての意匠性が損なわれる。また、特許文献１の多連式写真立てでは、折り畳む際に、丁番の可動域による制約を受けるため、折り畳みの自由度が低い。
【０００５】
本考案は、上記問題に鑑みなされたもので、意匠性が良好で、折り畳みの自由度が高い多連式額縁を提供することを目的とする。
【課題を解決するための手段】
【０００６】
本考案の一実施形態に係る額縁は、複数の額縁が連結された多連式額縁であって、前記複数の額縁は、少なくとも第１の額縁および第２の額縁を含み、前記第１の額縁は、前記第２の額縁と連結する端面である第１の連結面を有し、前記第１の連結面に第１の強磁性体を備え、前記第２の額縁は、前記第１の額縁と連結する端面である第２の連結面を有し、前記第２の連結面に第２の強磁性体を備え、前記第１の額縁および前記第２の額縁は、前記第１の強磁性体と前記第２の強磁性体との間の吸引力によって前記第１の連結面および前記第２の連結面で互いに連結されている。
【０００７】
前記第１の強磁性体は、前記第１の連結面に埋設され、前記第２の強磁性体は、前記第２の連結面に埋設されていてもよい。
【０００８】
前記第１の額縁および前記第２の額縁はそれぞれ、正面と、背面と、上面と、底面と、一対の側面とを備え、前記第１の連結面および前記第２の連結面の少なくとも一方は、前記一対の側面の少なくとも一方において、前記背面が外側に突出するように前記底面から垂直な方向に延びる、１つの平面によって構成されていてもよい。
【０００９】
前記第１の額縁および前記第２の額縁はそれぞれ、正面と、背面と、上面と、底面と、一対の側面とを備え、前記第１の連結面および前記第２の連結面の少なくとも一方は、前記底面から垂直な方向に延びる複数の平面によって構成されていてもよい。
【００１０】
前記第１の額縁および前記第２の額縁はそれぞれ、正面と、背面と、上面と、底面と、一対の側面とを備え、前記第１の連結面および前記第２の連結面の少なくとも一方は、前記底面から垂直な方向に延びる半円柱状の曲面によって構成されていてもよい。
【考案の効果】
【００１１】
本考案によれば、意匠性が良好で、折り畳みの自由度が高い多連式額縁を提供することができる。
【図面の簡単な説明】
【００１２】
【図１】本考案の一実施形態に係る本考案の第１実施形態に係る多連式額縁を示す斜視図である。
【図２Ａ】本考案の一実施形態に係る本考案の第１実施形態に係る多連式額縁の連結部分を示す模式的な拡大斜視図である。
【図２Ｂ】本考案の一実施形態に係る本考案の第１実施形態に係る多連式額縁の連結部分を示す模式的な拡大上面図である。
【図３Ａ】本考案の一実施形態に係る本考案の第２実施形態の一変形例に係る多連式額縁の連結部分を示す模式的な拡大斜視図である。
【図３Ｂ】本考案の一実施形態に係る本考案の第２実施形態の一変形例に係る多連式額縁の連結部分を示す模式的な拡大上面図である。
【図４Ａ】本考案の一実施形態に係る本考案の第３実施形態の他の変形例に係る多連式額縁の連結部分を示す模式的な拡大斜視図である。
【図４Ｂ】本考案の一実施形態に係る本考案の第３実施形態の他の変形例に係る多連式額縁の連結部分を示す模式的な拡大上面図である。
【図５】本考案の一実施形態に係る本考案の第３実施形態の他の変形例に係る多連式額縁を折り畳んでいる状態を示す模式的な斜視図である。
【考案を実施するための形態】
【００１３】
以下、添付図面を参照して、本考案の一実施形態に係る多連式額縁を説明する。なお、以下に示す実施形態は、あくまで一例であり、本考案の多連式額縁は、以下の実施形態に限定されるものではない。なお、本明細書において、「Ａ面に垂直」およびこれに類する表現は、Ａ面に対して完全に垂直な方向のみを指すのではなく、Ａ面に対して略垂直であることを含んで指すものとする。具体的には、「略垂直」は、たとえば垂直な方向に対して±１０°以内、好ましくは５°以内の方向である。また、本明細書において、「Ｂ形状」およびこれに類する表現は、完全なＢ形状のみを指すのではなく、Ｂ形状の角部が面取りされた形状など、見た目にＢ形状を連想させる形状（略Ｂ形状）を含んで指すものとする。
【００１４】
本考案の一実施形態に係る多連式額縁１は、図１に示すように、複数の額縁１１、１２、１３が連結されたものである。額縁１１、１２、１３は、後述するように、磁力によって互いに連結される。ここで、本明細書において、「額縁」は、展示のために、写真や絵画などを保持する保持体であり、たとえば、枠状の縁部内に写真や絵画などを収容するための写真立てや、写真や絵画などを貼付するための写真パネルなどを含む概念である。「額縁」により保持される展示対象は、写真や絵画に限定されず、文字や書物などのその他の展示物であってもよい。本実施形態では、額縁１１、１２、１３は、仏事に使用するために、たとえば仏画、お経、戒名などを枠状の縁部内の窓部１１ｗ、１２ｗ、１３ｗに収めて展示する。複数の額縁１１、１２、１３は、少なくとも第１の額縁１１および第２の額縁１２を含んでいる。本実施形態では、複数の額縁１１、１２、１３は、第３の額縁１３をさらに含んでいる。しかし、複数の額縁は、少なくとも２つの額縁を備えていればよく、４つ以上の額縁を含んでいてもよい。
【００１５】
第１の額縁１１は、図１に示すように、少なくとも第２の額縁１２と連結されている。本実施形態では、第１の額縁１１は、第３の額縁１３とも連結されている。第１の額縁１１の形状は、少なくとも第２の額縁１２と連結可能な形状であれば、特に限定されない。本実施形態では、第１の額縁１１は、正面視が四角形状である板状に形成されている。具体的には、第１の額縁１１は、窓部１１ｗを有する正面１１ａと、正面１１ａの反対面である背面１１ｂと、正面１１ａ（背面１１ｂ）と交差する上面１１ｃと、上面１１ｃの反対面である底面１１ｄと、正面１１ａ（背面１１ｂ）および上面１１ｃ（底面１１ｄ）と交差する一対の側面１１ｅ、１１ｆとを備えている。
【００１６】
第１の額縁１１は、図１に示すように、少なくとも第２の額縁１２と連結するために、第２の額縁１２と連結する端面である第１の連結面１１ｅ、１１ｆを有している。具体的には、第１の連結面１１ｅ、１１ｆは、一対の側面１１ｅ、１１ｆの少なくとも一方において、外側に突出する突出面として形成されている。本実施形態では、第１の額縁１１は、第１の連結面１１ｅ、１１ｆを複数有している。この場合、第１の額縁１１は、複数の第１の連結面１１ｅ、１１ｆのうちの１つ（たとえば、第１の連結面１１ｆ）で第２の額縁１２と連結しながら、複数の第１の連結面１１ｅ、１１ｆのうちの他の１つ（たとえば、第１の連結面１１ｅ）で第３の額縁１３とも連結することができる。第１の連結面１１ｅ、１１ｆは、具体的には、一対の側面１１ｅ、１１ｆの両方において、外側にそれぞれ突出する一対の突出面として形成されている。しかし、第１の連結面１１ｅ、１１ｆの形状および配置は、少なくとも第２の額縁１２の第２の連結面１２ｅ、１２ｆと連結可能であれば、特に限定されない。これについては、後述される。
【００１７】
第１の額縁１１は、図１に示すように、第１の連結面１１ｅ、１１ｆに第１の強磁性体１１１を備えている。なお、本明細書において、「強磁性体」は、自身が磁界を生成するか、または他の磁性体が生成する磁界によって、自身と他の磁性体との間で吸引力を発生し得る磁性体を指す。具体的には、「強磁性体」は、外部磁界によって磁化された後、その磁化が保持されている磁性体（いわゆる永久磁石（磁化後の硬質磁性体））だけでなく、外部磁界によって磁化されるが、外部磁界が解除されると、その磁化が保持されない磁性体（軟質磁性体）を含む。第１の強磁性体１１１の材質は、少なくとも後述する第２の額縁１２に設けられる第２の強磁性体１２１と互いに吸引し合う強磁性体であれば、特に限定されない。本実施形態では、第１の強磁性体１１１は、たとえば、フェライト、アルニコ、ネオジウム、またはサマリウムコバルトなどの硬質磁性体、または、鉄、ケイ素鋼、またはパーマロイなどの軟質磁性体を含んで構成される。
【００１８】
第１の強磁性体１１１は、本実施形態では、図１に示すように、第１の連結面１１ｅ、１１ｆに埋設されている。具体的には、第１の強磁性体１１１は、外部に露出しないように、第１の連結面１１ｅ、１１ｆに埋設されている。この場合、外部との当接による物理的な衝撃などから第１の強磁性体１１１を保護することができる。しかし、第１の強磁性体１１１の設置形態は、特に限定されず、第１の強磁性体１１１は、第１の連結面１１ｅ、１１ｆから一部露出するように埋設されてもよい。本実施形態では、第１の強磁性体１１１は、円筒形状を有している。第１の強磁性体１１１を円筒形状とすることで、後述する第２の額縁１２の第２の強磁性体１２１も円筒形状である場合には、第１の強磁性体１１１と第２の強磁性体１２１との間に生じる吸引力の異方性を小さくすることができる。本実施形態では、第１の強磁性体１１１は、第１の連結面１１ｅ、１１ｆの近傍で、上面１１ｃ側と底面１１ｄ側に離間するように、それぞれ１つ設けられている。第１の強磁性体１１１を上面１１ｃ側と底面１１ｄ側に離間して設けることで、少ない量の強磁性体で効率的に磁力を発生させることができる。本実施形態では、第１の強磁性体１１１は、第２の額縁１２に加え、第３の額縁１３とも磁力で連結するために、複数の第１の連結面１１ｅ、１１ｆのそれぞれに設けられ、より具体的には、複数の第１の連結面１１ｅ、１１ｆ（たとえば、一対の側面１１ｅ、１１ｆの両方）の上面１１ｃ側と底面１１ｄ側にそれぞれ１つ設けられている。しかし、第１の強磁性体１１１の形状および配置は、第１の強磁性体１１１と第２の強磁性体１２１との間の磁力で、第１の額縁１１が第２の額縁１２と連結可能な吸引力が生じれば、特に限定されない。第１の強磁性体１１１は、たとえば第１の連結面１１ｅ、１１ｆ自体を構成するように、底面１１ｄから上面１１ｃまで延びる１つの強磁性体であってもよい。
【００１９】
第２の額縁１２は、図１に示すように、少なくとも第１の額縁１１と連結されている。第２の額縁１２の形状は、少なくとも第１の額縁１１と連結可能な形状であれば、特に限定されない。本実施形態では、第２の額縁１２は、第１の額縁１１と同じ形状を有し、正面視が四角形状である板状に形成されている。具体的には、第２の額縁１２は、窓部１２ｗを有する正面１２ａと、正面１２ａの反対面である背面１２ｂと、正面１２ａ（背面１２ｂ）と交差する上面１２ｃと、上面１２ｃの反対面である底面１２ｄと、正面１２ａ（背面１２ｂ）および上面１２ｃ（底面１２ｄ）と交差する一対の側面１２ｅ、１２ｆとを備えている。
【００２０】
第２の額縁１２は、図１に示すように、少なくとも第１の額縁１１と連結するために、第１の額縁１１と連結する端面である第２の連結面１２ｅ、１２ｆを有している。具体的には、第２の連結面１２ｅ、１２ｆは、第１の額縁１１における第１の連結面１１ｅ、１１ｆと同じ形状を有し、一対の側面１２ｅ、１２ｆの少なくとも一方において、外側に突出する突出面として形成されている。しかし、第２の連結面１２ｅ、１２ｆの形状および配置は、少なくとも第１の額縁１１の第１の連結面１１ｅ、１１ｆと連結可能であれば、特に限定されない。これについては、後述される。
【００２１】
第２の額縁１２は、図１に示すように、第２の連結面１２ｅ、１２ｆに第２の強磁性体１２１を備えている。具体的には、第２の強磁性体１２１は、第１の強磁性体１１１と互いに吸引し合う強磁性体であれば、特に限定されないが、たとえば、上述の硬質磁性体または軟質磁性体を含んで構成される。本実施形態では、第２の強磁性体１２１は、第１の額縁１１における第１の強磁性体１１１と同じ形状（円筒形状）を有し、第１の額縁１１における第１の強磁性体１１１と同様に、第２の連結面１２ｅ、１２ｆに埋設され、第２の連結面１２ｅ、１２ｆの近傍で、上面１２ｃ側と底面１２ｄ側に離間するように、それぞれ１つ設けられている。しかし、第２の強磁性体１２１の形状、配置、および個数は、少なくとも第１の強磁性体１１１と第２の強磁性体１２１との間の磁力による吸引力で、第１の額縁１１および第２の額縁１２が連結されれば、特に限定されない。たとえば、第２の強磁性体１２１は、第１の強磁性体１１１と異なる形状を有してもよく、第１の額縁１１における第１の強磁性体１１１と異なる位置に異なる個数で配置されていてもよい。
【００２２】
第３の額縁１３は、本実施形態では、図１に示すように、少なくとも第１の額縁１１と連結される。第３の額縁１３の形状は、特に限定されないが、本実施形態では、第３の額縁１３は、第１の額縁１１と同じ形状を有し、正面視が四角形状である板状に形成されている。具体的には、第３の額縁１３は、窓部１３ｗを有する正面１３ａと、正面１３ａの反対面である背面１３ｂと、正面１３ａ（背面１３ｂ）と交差する上面１３ｃと、上面１３ｃの反対面である底面１３ｄと、正面１３ａ（背面１３ｂ）および上面１３ｃ（底面１３ｄ）と交差する一対の側面１３ｅ、１３ｆとを備えている。
【００２３】
第３の額縁１３は、本実施形態では、図１に示すように、少なくとも第１の額縁１１と連結するために、第１の額縁１１と連結する端面である第３の連結面１３ｅ、１３ｆを有している。具体的には、第３の連結面１３ｅ、１３ｆは、第１の額縁１１における第１の連結面１１ｅ、１１ｆと同じ形状を有し、一対の側面１３ｅ、１３ｆの少なくとも一方において、外側に突出する突出面として形成されている。しかし、第３の連結面１３ｅ、１３ｆの形状および配置は、少なくとも第１の額縁１１の第１の連結面１１ｅ、１１ｆと連結可能であれば、特に限定されない。これについては、後述される。
【００２４】
第３の額縁１３は、本実施形態では、図１に示すように、第３の連結面１３ｅ、１３ｆに第３の強磁性体１３１を備えている。具体的には、第３の強磁性体１３１は、第１の強磁性体１１１と互いに吸引し合う強磁性体であれば、特に限定されないが、たとえば、上述の硬質磁性体または軟質磁性体を含んで構成される。本実施形態では、第３の強磁性体１３１は、第１の額縁１１における第１の強磁性体１１１と同じ形状（円筒形状）を有し、第１の額縁１１における第１の強磁性体１１１と同様に、第３の連結面１３ｅ、１３ｆに埋設され、第３の連結面１３ｅ、１３ｆの近傍で、上面１３ｃ側と底面１３ｄ側に離間するように、それぞれ１つ設けられている。しかし、第３の強磁性体１３１の形状、配置、および個数は、少なくとも第１の強磁性体１１１と第３の強磁性体１３１との間の磁力による吸引力で、第１の額縁１１および第３の額縁１３が連結されれば、特に限定されない。たとえば、第３の強磁性体１３１は、第１の強磁性体１１１と異なる形状を有してもよく、第１の額縁１１における第１の強磁性体１１１と異なる位置に異なる個数で配置されていてもよい。
【００２５】
図１に示すように、第１の額縁１１および第２の額縁１２は、第１の強磁性体１１１と第２の強磁性体１２１との間の吸引力によって第１の連結面１１ｆおよび第２の連結面１２ｅで互いに連結される。本実施形態では、さらに、第１の額縁１１および第３の額縁１３が、第１の強磁性体１１１と第３の強磁性体１３１との間の吸引力によって第１の連結面１１ｅおよび第３の連結面１３ｆで互いに連結されている。以下では、複数の額縁１１〜１３の間の連結形態について、さらに詳細に説明する。
【００２６】
本実施形態では、図１に示すように、第１の連結面１１ｅ、１１ｆおよび第２の連結面１２ｅ、１２ｆの少なくとも一方（具体的には、第１の連結面１１ｆおよび第２の連結面１２ｅ）は、一対の側面１１ｅ、１１ｆ、１２ｅ、１２ｆの少なくとも一方（具体的には、第１の額縁１１の側面１１ｆおよび第２の額縁１２の側面１２ｅ）において、背面１１ｂ、１２ｂが外側に突出するように底面１１ｄ、１２ｄから垂直な方向に延びる、１つの平面によって構成されている。この場合、図２Ａに示すように、第１の額縁１１と第２の額縁１２との間の連結は、１つの平面（重なり合って１つの面となった第１の連結面１１ｆと第２の連結面１２ｅ）によって確定されるので、第１の額縁１１と第２の額縁１２との間の連結角度は、１つの角度に固定され、第１の額縁１１と第２の額縁１２との間の連結が安定する。同様に、本実施形態では、図１に示すように、第１の連結面１１ｅ、１１ｆおよび第３の連結面１３ｅ、１３ｆの少なくとも一方（具体的には、第１の連結面１１ｅおよび第３の連結面１３ｆ）は、一対の側面１１ｅ、１１ｆ、１３ｅ、１３ｆの少なくとも一方（具体的には、第１の額縁１１の側面１１ｅおよび第３の額縁１３の側面１３ｆ）において、背面１１ｂ、１３ｂが外側に突出するように底面１１ｄ、１３ｄから垂直な方向に延びる、１つの平面によって構成されている。この場合、第１の額縁１１と第３の額縁１３との間の連結は、１つの平面（重なり合って１つの面となった第１の連結面１１ｅと第３の連結面１３ｆ）によって確定されるので、第１の額縁１１と第３の額縁１３との間の連結角度は、１つの角度に固定され、第１の額縁１１と第３の額縁１３との間の連結が安定する。
【００２７】
以上のように構成される本実施形態に係る多連式額縁１によれば、第１の額縁１１および第２の額縁１２が、丁番で連結されるのではなく、第１の強磁性体１１１と第２の強磁性体１２１との間の吸引力によって第１の連結面１１ｆおよび第２の連結面１２ｅで互いに連結される。そのため、多連式額縁１の外観において、煩雑な印象を与えやすい丁番がなくなるので、多連式額縁１の美観が向上する。また、多連式額縁１を折り畳む際に、丁番の可動域による制約を受けることがなく、図２Ｂに示すように、第１の強磁性体１１１と第２の強磁性体１２１との間の吸引力に抗して、第１の額縁１１および第２の額縁１２を簡単に分離することもできる（図２Ｂ中の二点鎖線参照）。そのため、多連式額縁１の折り畳みの自由度が高くなる。
【００２８】
本実施形態では、第１の額縁１１と第２の額縁１２との連結面である第１の連結面１１ｆおよび第２の連結面１２ｅがそれぞれ、背面１１ｂ、１２ｂが外側に突出するように底面１１ｄ、１２ｄから垂直な方向に延びる、１つの平面によって構成されている。この場合、第１の額縁１１および第２の額縁１２は、互いに平行にならずに、交差するように連結される。そのため、たとえば多連式額縁１を机などの水平面に載置する時に、第１の額縁１１および第２の額縁１２は、互いを転倒しないように支持し合うので、多連式額縁１を安定して載置することができる。さらに、本実施形態では、第１の額縁１１と第３の額縁１３が連結され、第１の額縁１１と第３の額縁１３との連結面である第１の連結面１１ｅおよび第３の連結面１３ｆが、背面１１ｂ、１３ｂが外側に突出するように底面１１ｄ、１３ｄから垂直な方向に延びる、１つの平面によって構成される。この場合、第１の額縁１１および第３の額縁１３も、互いを転倒しないように支持し合うので、多連式額縁１をさらに安定して載置することができる。
【００２９】
本実施形態では、第１の額縁１１と第２の額縁１２とは、同一の額縁であるので、第１の額縁１１および第２の額縁１２を同じ材料を用いて同じ製造工程によって製造可能となる。この場合、第１の額縁１１および第２の額縁１２の製造コスト、ひいては、多連式額縁１全体としての製造コストも安価になる。第１の額縁１１および第２の額縁１２に加え、第３の額縁１３も同一の額縁である場合には、第３の額縁１３も第１の額縁１１および第２の額縁１２と同じ材料を用いて同じ製造工程によって製造可能となる。この場合、第３の額縁１３の製造コスト、ひいては、多連式額縁１全体としての製造コストもさらに安価になる。
【００３０】
（第２実施形態）
図３Ａおよび図３Ｂは、本考案の第２実施形態に係る多連式額縁を示している。本実施形態に係る多連式額縁１では、第１実施形態とは異なり、図１に示す第１の連結面１１ｅ、１１ｆおよび第２の連結面１２ｅ、１２ｆの少なくとも一方（具体的には、第１の連結面１１ｆおよび第２の連結面１２ｅ）が、図３Ａに示すように、底面１１ｄ、１２ｄから垂直な方向に延びる複数の平面によって構成されている。その他の点については、第１実施形態に係る多連式額縁１と共通するため、共通点についての説明を省略する。
【００３１】
本実施形態に係る多連式額縁１によれば、第１の連結面１１ｆを構成する複数の平面のうちの１つの平面と、第２の連結面１２ｅを構成する複数の平面のうちの１つの平面とを選択して連結させることで、第１の額縁１１と第２の額縁１２との連結角度を所望の角度に変更することができる。また、第１実施形態と同様に、多連式額縁１を折り畳む際に、図３Ｂに示すように、第１の強磁性体１１１と第２の強磁性体１２１との間の吸引力に抗して、第１の額縁１１および第２の額縁１２を簡単に分離することもできる。そのため、多連式額縁１を折り畳みの自由度が高くなる。
【００３２】
なお、本実施形態において、第１の連結面１１ｆおよび第２の連結面１２ｅと同様に、図１に示す第１の連結面１１ｅおよび第３の連結面１３ｆが、底面１１ｄ、１３ｄから垂直な方向に延びる複数の平面によって構成されてもよい。
【００３３】
（第３実施形態）
図４Ａ〜図５は、本考案の第３実施形態に係る多連式額縁を示している。本実施形態に係る多連式額縁１は、第１実施形態および第２実施形態とは異なり、図１に示す第１の連結面１１ｅ、１１ｆおよび第２の連結面１２ｅ、１２ｆの少なくとも一方（具体的には、第１の連結面１１ｆおよび第２の連結面１２ｅ）が、図４Ａに示すように、底面１１ｄ、１２ｄから垂直な方向に延びる半円柱状の曲面によって構成されている。その他の点については、第１実施形態および第２実施形態に係る多連式額縁１と共通するため、共通点についての説明を省略する。
【００３４】
本実施形態に係る多連式額縁１によれば、第１の連結面１１ｆおよび第２の連結面１２ｅがそれぞれ、半円柱状の曲面によって構成されているので、第１の額縁１１と第２の額縁１２を任意の連結角度で連結させることができる。また、第１実施形態および第２実施形態と同様に、多連式額縁１を折り畳む際に、図４Ｂに示すように、第１の強磁性体１１１と第２の強磁性体１２１との間の吸引力に抗して、第１の額縁１１および第２の額縁１２を簡単に分離することもできる。さらに、図５に示すように、第１の連結面１１ｆと第２の連結面１２ｅとを互いの曲面に沿わせながら連結角度を変化させることで、第１の額縁１１および第２の額縁１２を分離せずに連結させたままの状態で、折り畳むこともできる。そのため、多連式額縁１を折り畳みの自由度がさらに高くなる。
【００３５】
なお、本実施形態において、第１の連結面１１ｆおよび第２の連結面１２ｅと同様に、図１に示す第１の連結面１１ｅおよび第３の連結面１３ｆが、底面１１ｄ、１３ｄから垂直な方向に延びる円柱状の曲面によって構成されてもよい。
【００３６】
（その他の実施形態）
以上、本発明のいくつかの実施形態を説明したが、これらの実施形態は、一例に過ぎず、特許請求の範囲に係る発明を限定するものではない。たとえば、上記実施形態では、多連式額縁１では、３つの額縁（第１の額縁１１〜第３の額縁１３）によって構成されている。しかし、多連式額縁に含まれる額縁の数は、複数であれば、３つに限定されるものではない。
【００３７】
上記実施形態では、第１の額縁１１と第２の額縁１２を連結する第１の連結面１１ｅ、１１ｆおよび第２の連結面１２ｅ、１２ｆの形状の組合せとして、１つの平面と１つの平面、複数の平面と複数の平面、半円柱状の曲面と半円柱状の曲面との組み合わせのみを示している。しかし、第１の額縁と第２の額縁を連結する第１の連結面および第２の連結面の形状の組合せは、同じ形状の組合せに限定されず、複数の平面、半円柱状の曲面、および半円柱状の曲面のうちの２つから選択される任意の形状の組合せであってもよく、その他の形状を含めた組合せであってもよい。多連式額縁が、３つ以上の額縁を含み、３つ以上の額縁を連結する場合も同様である。
【００３８】
上記実施形態では、第１の額縁１１の第１の連結面１１ｅおよび第２の額縁１２の第２の連結面１２ｅ、１２ｆは、両側面１１ｅ、１１ｆ、１２ｅ、１２ｆに設けられている。しかし、第１の連結面および第２の連結面の配置はそれぞれ、第１の額縁および第２の額縁の端面であれば、特に限定されず、上面や底面に設けられてもよく、端面の全面（上記実施形態では、両方の側面１１ｅ、１１ｆ、１２ｅ、１２ｆ、上面１１ｃ、１２ｃ、および底面１１ｄ、１２ｄ）に設けられてもよい。また、第１の額縁と第２の額縁は、互いに同じ端面で連結されなくてもよく、たとえば第１の額縁の側面と第２の額縁の上面で、第１の額縁と第２の額縁が連結されるなど、互いに異なる端面で連結されてもよい。
【００３９】
たとえば第１の額縁１１と第２の額縁１２のそれぞれの底面１１ｄ、１２ｄに、フェルトなどの位置ズレ吸収材料が貼付されていてもよい。この場合、第１の額縁１１と第２の額縁１２との間の連結位置を調整しやすくなるので、第１の額縁１１と第２の額縁１２との間の連結位置のずれによるガタツキを抑制することができる。多連式額縁が、３つ以上の額縁を含み、３つ以上の額縁を連結する場合も同様である。
【符号の説明】
【００４０】
１  多連式額縁
１１  第１の額縁
１１ａ  正面
１１ｂ  背面
１１ｃ  上面
１１ｄ  底面
１１ｅ、１１ｆ  第１の連結面（側面）
１１ｗ  窓部
１１１  第１の強磁性体
１２  第２の額縁
１２ａ  正面
１２ｂ  背面
１２ｃ  上面
１２ｄ  底面
１２ｅ、１２ｆ  第２の連結面（側面）
１２ｗ  窓部
１２１  第２の強磁性体
１３  第３の額縁
１３ａ  正面
１３ｂ  背面
１３ｃ  上面
１３ｄ  底面
１３ｅ、１３ｆ  第３の連結面（側面）
１３ｗ  窓部
１３１  第３の強磁性体
【図１】
0003229736.tif 000003
【図２Ａ】
0003229736.tif 000004
【図２Ｂ】
0003229736.tif 000005
【図３Ａ】
0003229736.tif 000006
【図３Ｂ】
0003229736.tif 000007
【図４Ａ】
0003229736.tif 000008
【図４Ｂ】
0003229736.tif 000009
【図５】
0003229736.tif 000010